Podtech/llm-jp-corpus-v4-ja_patent huggingface dataset:
(57)【要約】      （修正有）【課題】頭部を蒸しタオル（お湯もしくはスチームを使用）で温めるのでなく、容易に頭部を温めることのできる頭用温熱体を提供する。【解決手段】高吸水性樹脂に水を吸水させた温熱剤を内包した帽子もしくは高吸水性繊維を使用した不織布を帽子にし、これに吸水させた帽子を電子レンジで適温に加熱し用いる。上記の高吸水性樹脂及び高吸水性繊維としては、ポリアクリル酸塩素、でんぷん−アクリル酸グラフト系等を主成分とする混合物を用いる。【選択図】図１
0003142356.tif 000002
【実用新案登録請求の範囲】
【請求項１】
高吸水性樹脂に水を吸水させたものを内包した帽子もしくは繊維の原綿を不織布にして帽子にしたものに水を吸水させた頭用温熱体。
【請求項２】
上記高吸水性樹脂を吸水させた温熱体を袋体で一体形成したことを特徴とする請求項１に記載の頭用温熱体。
【請求項３】
上記高吸水性繊維の原綿を不織布したものを帽子成形することを特徴とする請求項１に記載の頭用温熱体。
【請求項４】
上記高吸水性樹脂及び高吸水性繊維としては、ポリアクリル酸塩系、でんぷん−アクリル酸グラフト系、ポリビニールアルコール系、酢酸ビニルーアクリル酸系を主成分とする混合物であることを特徴とする請求項１〜３の頭用温熱体。
【考案の詳細な説明】
【技術分野】
【０００１】  本考案は、家庭内、サロン等でヘッドマッサージもしくは頭部の温め用として、誰もが容易に使用できる頭用温熱体に関するものである。
【背景技術】
【０００２】  従来、家庭内、サロン等でヘッドマッサージもしくは頭部の温め用として、蒸しタオル（お湯もしくはスチームを使用）を使用して頭部を温めている。【０００３】  しかしながら、蒸しタオルではその準備と温熱持続時間が短く、使用中に湿気が水滴となり滴り落ちたりするなどの問題がある。また、使用後には洗濯などの処理が必要である。
【考案が解決しようとする課題】
【０００４】  以上のように、家庭内、サロン等でヘッドマッサージもしくは頭部温め用として、蒸しタオルの機能（温熱効果）を持ち簡単かつ安心して使える頭用温熱体を提供することである。
【課題を解決するための手段】
【０００５】  上記課題を解決するものとして、本考案による頭用温熱体は、高吸水性樹脂を内包した袋体もしくは高吸水性繊維の原綿を不織布にしたものより構成される。
【０００６】  すなわち、以下の特徴を有する頭用温熱体により上記課題が解決される。（請求項１）高吸水性樹脂に水を吸水させたものを内包した帽子もしくは繊維の原綿を不織布にして帽子にしたものに水を吸水させた頭用温熱体。（請求項２）上記高吸水性樹脂を吸水させた温熱体を袋体で一体形成したことを特徴とする請求項１に記載の頭用温熱体。（請求項３）上記高吸水性繊維の原綿を不織布したものを帽子成形することを特徴とする請求項１に記載の頭用温熱体。（請求項４）上記高吸水性樹脂及び高吸水性繊維としては、ポリアクリル酸塩系、でんぷん−アクリル酸グラフト系、ポリビニールアルコール系、酢酸ビニル−アクリル酸系を主成分とする混合物であることを特徴とする請求項１〜３の頭用温熱体。
【作用】
【０００７】  本考案に係わる、頭用温熱体は蒸しタオル（お湯もしくはスチームを使用）を使用することなく、容易に頭部を温めることができる。
【考案実施の形態】
【０００８】  本考案において、使用される高吸水性樹脂（水を吸水させたもの）を内包した袋体は筒状、袋状、板状などの任意の形状に形成することも出来る。袋体は透明、半透明あるいは不透明でも良い。頭部温熱体として帽子形状に成形した。
【０００９】  高吸水性樹脂（水を吸水させたもの）を内包した袋体を帽子形状に成形したものを図１に示す。
【００１０】  従って、用いられる袋体の材質あるいは材料として、気密性の場合は、例えば、ポリエチレン、ポリプロピレン、ナイロン、ポリエチレンテレフタート、ポリ塩化ビニール、ポリスチレンなどが用いられる。これらのブレンドも用いることができる。
【００１１】  袋体カバーを頭部に装着感を向上するために使用する。袋体カバーの材質は綿、ポリエチレン、ポリプロピレン、ナイロン、ポリエチレンテレフタート、ポリ塩化ビニール、ポリスチレンなどが用いられる。これらのブレンドも用いることができる。
【００１２】  本考案において、使用される高吸水性繊維は原綿を不織布にし、帽子形状に成形することができる。
【００１３】  高吸水性繊維を帽子に成形したもの（水を吸水させたもの）を図２に示す。
【００１４】  高吸水性繊維を帽子に成形したものをそのまま使用することもできるが、帽子カバーを装着して使用することもできる。
【００１５】  高吸水性繊維帽子カバーの材質は綿、ポリエチレン、ポリプロピレン、ナイロン、ポリエチレンテレフタート、ポリ塩化ビニール、ポリスチレンなどが用いられる。これらのブレンドも用いることができる。
【効果】
【００１６】  この頭部温熱体は、蒸しタオル（お湯もしくはスチームを使用）を使用せず、電子レンジで加熱することにより容易に使え、蒸しタオルより暖かさが持続する利点がある。
【実施例１】
【００１７】  本考案に基づく実施例について、図１を参照して説明する。図１には、高吸水性樹脂を内包した袋体を帽子成形したものである。袋体カバー３は着脱できる構成とし、袋体２で高吸水性樹脂（水を吸水させたもの）１を内包する。【００１８】  高吸水性樹脂を内包した袋体（重さ７００ｇ）を室温１５℃において４５℃まで温める電子レンジでの加熱時間は２分であった。この袋体を頭に被り温かさ（袋体温度３８度以上）が１５分以上持続することができた。
【実施例２】
【００１９】  本考案に基づく実施例について、図２を参照して説明する。高吸水性繊維の原綿を不織布にして帽子形状に成形したものである。この帽子（高吸水性繊維に水を吸水させた：重さ７００ｇ）を室温１５℃において５０℃まで温める電子レンジの加熱時間は２分２０秒であった。この帽子を頭に被り温かさ（高吸水性繊維製帽子温度３８℃以上）が１０分以上持続できた。【００２０】  高吸水性繊維の原綿を不織布にし、帽子形状に成形することにより、この帽子を頭に被りヘッドマッサージを施す際、適度な感触と温かさを得ることができた。
【図面の簡単な説明】
【００２１】
【図１】本考案の高吸水性樹脂を内包した袋体を帽子成形した図
【図２】高吸水性繊維を帽子成形し、水を吸水させた図
【図３】高吸水性樹脂及び高吸水性繊維の吸水の仕組み図
【符号の説明】
【００２２】１  高吸水性樹脂（水を吸水させたもの）
２  袋体
３  袋体カバー
Ｌ  帽子形状の深さ（２００ｍｍ）
Ｄ  帽子形状り直径（３５０ｍｍ）
【図１】
0003142356.tif 000003
【図２】
0003142356.tif 000004
【図３】
0003142356.tif 000005
(57)【要約】      （修正有）【課題】携帯電話機に一体として持ち運べ、また、その携帯電話機への取り付けが容易に行える携帯電話機用スタンドを提供する。【解決手段】一方側面を携帯電話機面への粘着面とするプレート部材２と、プレート部材２の他方側面に起倒可能に取り付けられるスタンド部材３とからなり、プレート部材２の他方側面に凹所が設けられ、スタンド部材３が凹所内に倒時においては他方側面位置から突出することなく位置するように配置されてなる携帯電話機用スタンド。【選択図】図１
0003142358.tif 000002
【実用新案登録請求の範囲】
【請求項１】
一方側面を携帯電話機面への粘着面とするプレート部材と、前記プレート部材の他方側面に起倒可能に取り付けられるスタンド部材とからなり、
前記他方側面に凹所が設けられ、前記スタンド部材が前記凹所内に倒時においては前記他方側面位置から突出することなく位置するように配置されてなることを特徴とする携帯電話機用スタンド。
【考案の詳細な説明】
【技術分野】
【０００１】  この考案は、携帯電話機用スタンドに関する。
【背景技術】
【０００２】  携帯電話機がテレビ機能等を持つようになるにつれ、携帯電話機の画面を机等の上に置いて見る機会が増えている。その際単に携帯電話機を机上に置いた場合は、その位置が低く目の位置から遠くなって見えにくい問題がある。そこで最近では携帯電話機を起こし状態に支持する各種のスタンドが提供されている。そのスタンドは、例えばボックス形態や枠形態で、その中に携帯電話機を納めるようにして起こし状態に支持している。
【考案の開示】
【考案が解決しようとする課題】
【０００３】  しかしながら、そのようなスタンドは携帯電話機に一体にした状態では全体が大きくなるので持ち歩くことができず、また、携帯電話機への取り付け、取り外しに手間のかかる問題があった。【０００４】  この考案では、携帯電話機に一体として持ち運べ、また、その携帯電話機への取り付けが容易に行える携帯電話機用スタンドを提供する。
【課題を解決するための手段】
【０００５】  この考案では、一方側面を携帯電話機面への粘着面とするプレート部材と、前記プレート部材の他方側面に起倒可能に取り付けられるスタンド部材とからなり、前記他方側面に凹所が設けられ、前記スタンド部材が前記凹所内に倒時においては前記他方側面位置から突出することなく位置するように配置されてなることを特徴とする携帯電話機用スタンドを提供する。【０００６】  この考案の携帯電話機用スタンドは、プレート部材の粘着面を貼り付けることで携帯電話機に装着でき、また、剥がすことで取り外せる。スタンド部材がプレート部材の凹所内に収納できることでプレート部材面から突出して邪魔になることがないので、携帯電話機のみを持つ場合とほぼ同様にして携帯できる。プレート部材、スタンド部材はプラスチックス、金属により適宜製作できる。プレート部材の厚さは、携帯電話機と一体しての携帯に邪魔となることがないように６ｍｍ以下とされることが好ましい。
【考案の効果】
【０００７】  この考案によれば、携帯電話機に一体として持ち運べ、また、その携帯電話機への取り付けが容易に行える、実用性の高い携帯電話機用スタンドが得られる。
【考案を実施するための最良の形態】
【０００８】  図１はこの考案の携帯電話機用スタンドの斜視図、図２はその使用状態の斜視図である。携帯電話機用スタンド１は、長方形状のプレート部材２と、その一方側面に起倒可能に取り付けられるスタンド部材３からなる。それぞれの部材２、３は若干の弾力性を持つプラスチックス材よりなる。プレート部材２は厚みが５ｍｍ程度で、一方側面の全体には粘着層２１が付されるとともに、それを覆うように離形シート２２が貼り付けられている。また、他方側面の中央には縦方向にスタンド部材３の収納用の凹所２４が設けられている。凹所２４は上部凹所２４ａとそれに連続する下部凹所２４ｂとからなり、その深さは全体に均一で３．５ｍｍ程度とされ、上部凹所２４ａ内には回動支持部２７が突設されている。また、プレート部材２の下端面は凸条が設けられることで滑り防止面２６とされている。【０００９】  スタンド部材３はスタンド部３３の上部に被支持部３４が一体に設けられおり、その厚さは全体に均一で３．３ｍｍ程度とされ、その下端面は凸条が設けられることで滑り防止面３６とされている。【００１０】  スタンド部材３の被支持部３４のプレート部材２の回動支持部２７への取り付けは、被支持部３４の端部３４ａが回動支持部２７のはめ込み部２７ａ内に弾力的にはめ込まれることにより行われ、端部３４ａがはめ込み部２７ａ内で矢印Ａ方向に回動することでスタンド部３３が矢印Ｂ方向に変位する。これによりスタンド部３３は下部凹所２４ｂ内に収納される位置（倒状態）と下部凹所２４ｂ内から出た位置（起状態）とに配置でき、すなわち、スタンド部材３は起倒動作が可能なように設けられている。そして、その倒時であるスタンド部３３が下部凹所２４ｂ内に収納される状態においては、スタンド部材３の面Ｓ１はプレート部材２の面Ｓ２とほぼ面一に位置し、これによりスタンド部材３が凹所２４内から突出することがないようになっている。【００１１】  上記携帯電話機用スタンド１は、離形シート２２が剥がされその粘着層２１面が携帯電話機５０の裏面に貼り付けられて用いられる。そして、図２に示すように、スタンド部材３が起状態とされることで携帯電話機５０を傾斜状態として机上等において支持し、これにより、携帯電話機５０の開かれた蓋５１の内面に位置する表示画面がより高い位置において前方から容易に見ることが可能となる。その際プレート部材２、スタンド部材３ともに滑り防止面２６、３６を備えていることで携帯電話機５０の支持が安定して行われる。【００１２】  また、携帯電話機５０はプレート部材２が一体となることで少し厚みが大きくなるが、スタンド部材３が凹所２４内に収納できることでプレート部材２面から突出して邪魔になることがないので、携帯電話機５０のみを持つ場合とほぼ同様にして携帯できる。【００１３】  また、上記実施形態の携帯電話機用スタンド１は販売促進用グッズとして用いられるもので、スタンド部材３のスタンド部３３面に広告表示３８がなされている。スタンド部材３を取替え使用することでプレート部材２を共通として多種類の販売品に対応するグッズが提供できる。
【図面の簡単な説明】
【００１４】
【図１】この考案の携帯電話機用スタンドの実施形態の斜視図
【図２】この考案の携帯電話機用スタンドの実施形態の使用時の斜視図
【符号の説明】
【００１５】  １    携帯電話機用スタンド
２    プレート部材
３    スタンド部材
２１  粘着層
２４  凹所
５０  携帯電話機
【図１】
0003142358.tif 000003
【図２】
0003142358.tif 000004
(57)【要約】      （修正有）【課題】多人数が就寝でき、就寝時以外はスペースを半分にする事が出来る一体型多段階スライドベッドを提供する。【解決手段】固定された多段階のベッドとベッドとの間に同数のベッドを格納するようにし、就寝時には、ベッドとベッドの間に格納された可動ベッドを引き出して使用する。引き出しが容易になる様に、引き出して使用するベッドの最下部には、キャスタを付ける。固定するベッドに接触するスライドベッドの２本の支柱を組み立て段階から中に組み込み一体型にする事で可能になる。それにより高さの制約が無ければ６段ベッドも可能。【選択図】図１
0003142352.tif 000002
【実用新案登録請求の範囲】
【請求項１】
固定するベッドに接触するスライドベッドの２本の支柱を、組み立て始める段階から固定するベッドの中に組み込み収める事で一体型にし、  その事により床とベッド、ベッドとベッドの間に固定するベッドと同数のベッドを格納出来るようにしたために、制約が無ければ６段ベッドも可能にした一体型多段階スライドベッド。
【考案の詳細な説明】
【技術分野】
【０００１】  通常の多段階ベッドのスペースに倍の人数が就寝出来るベッドが設置出来る。
【背景技術】
【０００２】  子供の多い家庭、会社や学校の合宿所や寮、建設現場の宿泊所などは就寝場所にかなりのスペースを割いていた。
【考案の開示】
【考案が解決しようとする課題】
【０００３】  小スペースに多人数用のベッドを設置する事が出来る。
【課題を解決するための手段】
【０００４】  一体型にする事で多段階の上下のベッドとベッドの間にベッドを格納する事を可能にした。
【考案の効果】
【０００５】  ４段ベッドから６段ベッドぐらいならキャスターを付ければ子供でも十分引き出し可能であり、就寝時以外は大きなスペースが生まれ、用途は無限である。
【考案を実施するための最良の形態】
【０００６】  移動しない方のベッドをしっかり固定する事と、引き出す方のベッドを引き出した後、少しの揺れや振動でも移動しないように固定フックを取り付ける。
【実施例】
【０００７】  移動しない方のベッドを壁に固定するか、キャスターを付けない。スライドする方のベッドのキャスターをフック付きにする。出来れば固定ベッドとスライドベッドの間にも固定フックを付けたい。
【産業上の利用可能性】
【０００８】  上述のように会社や学校の寮や合宿所、建設現場などあらゆる宿泊所のスペースの有効利用に役立つと思います。
【図面の簡単な説明】
【０００９】
【図１】  これは４段ベッド不使用時に２段ベッドの中に２段ベッドを格納した状態と、使用時に固定したベッドから２段ベッドを引き出した状態です。
【図１】
0003142352.tif 000003
(57)【要約】      （修正有）【課題】本来刺繍用ミシンである多頭式ジャガードミシンを使い、従来別々に加工されるレース部分と中生地刺繍部分を同時に加工する刺繍入りレースハンカチを提供する。【解決手段】水溶性不織布の上に中生地を置き、その上に、多頭式ジャガードミシンで刺繍・レースを同一行程で加工することにより、レース間の継ぎ目が解消され品質が向上すると共に、刺繍のような繊細なレースを加工することができる。【選択図】図１
0003142353.tif 000002
【実用新案登録請求の範囲】
【請求項１】
刺繍を施したハンカチ本体と、前記ハンカチ本体の外周にレースを配した構造で、前記レースと前記刺繍は、多頭式ジャガードミシンにおいて、一貫して加工された刺繍入りレースハンカチ。
【考案の詳細な説明】
【技術分野】
【０００１】  本考案は、品質向上を図るための刺繍入りレースハンカチに関するものである。
【背景技術】
【０００２】  従来の刺繍入りレースハンカチには、レース部分をエンブロイダーを使って刺繍し、前記レース部分と中生地とを組み合わせて、前記中生地部分に刺繍を施したものがある。
【考案の開示】
【考案が解決しようとする課題】
【０００３】  以上に述べた従来のレースハンカチでは、レース部分を組み合わせてから、前記レース部分と中生地を組み合わせて縫製するため、強度が不足し、前記レース部分と前記中生地とが、はずれやすくなる。【０００４】  また、エンブロイダーを使用してレース部分を刺繍するため、前記レース部分の糸の色数を２色以上に増やすことが難しい。【０００５】  また、エンブロイダーを使用してレース部分を刺繍するため、前記レース部分に太さの違う糸を混在させることができず、単調な図柄しか刺繍できなかった。【０００６】  また、レース部分を分割して加工する必要があり、前記レース部分の図柄の連続性が失われていた。【０００７】  また、エンブロイダーを使用してレース部分を刺繍するので、前記レース部分に繊細な図柄が作れなかった。【０００８】  本考案は、このような従来レース部分と中生地刺繍部分を別々に刺繍するという構成が有していた問題を解決しようとするものであり、刺繍入りレースハンカチの品質向上を実現することを目的とするものである。
【課題を解決するための手段】
【０００９】  そして本考案は上記目的を達成するために、本来刺繍用ミシンである多頭式ジャガードミシンを使い、従来別々に加工されるレース部分と中生地刺繍部分を同時に加工することである。【００１０】  上記第１の課題解決手段は、中生地に直接レース部分を刺繍することができるので、前記レース部分と前記中生地とが一体化し、強度を増すことができる。【００１１】  上記第２の課題解決手段は、多頭式ジャガードミシンでレース部分を刺繍することにより、前記レース部分の色数を最大６色まで増やすことができる。【００１２】  上記第３の課題解決手段は、多頭式ジャガードミシンの特徴を生かし、容易に太さの違う糸を混在させ、立体感のある図柄を刺繍することができる。【００１３】  上記第４の課題解決手段は、多頭式ジャガードミシンを使用することにより、レース部分を一度の行程で刺繍することができるので、連続性や統一感がある図柄の前記レース部分ができる。【００１４】  上記第５の課題解決手段は、刺繍部分と同様の繊細な図柄を、多頭式ジャガードミシンを使用することで、レース部分にも施すことができる。
【考案の効果】
【００１５】  本考案のレースハンカチは、レース部分を直接中生地部分に刺繍するため、前記レース部分と前記中生地部分との境目の強度が増すとともに、前記レース部分の図柄に複雑で美しい刺繍ができる。
【考案を実施するための最良の形態】
【００１６】  以下、本考案の実施の形態を図１〜図６に基づいて説明する。【００１７】  図１は、中生地（裁断後）２ａの上に刺繍５があり、周囲をレース土台６とレース本体７が刺繍されている。【００１８】  図２は、水溶性不織布１の上に中生地２を重ねて、多頭式ジャガードミシンの台の上に固定する。【００１９】  図３は、実際のハンカチの中生地の形に従って、中生地２に中生地裁断刺繍線３を刺繍する。【００２０】  図４は、中生地不要部分４をミシンに固定したまま、カットする。【００２１】  図５は、中生地（裁断後）２ａに刺繍５を施し、水溶性不織布１にレース土台６を刺繍する。【００２２】  図６は、レース土台６の上からレース本体７を刺繍し、水溶性不織布１を溶解する。【００２３】  以下、上記構成を説明する。加工の最初から水溶性不織布１の上に中生地２を置き、中生地２を動かすことなく刺繍５・レース土台６・レース本体７を加工するため、刺繍５・レース土台６・レース本体７の位置が互いにずれてしまうことがなく、仕上がりも綺麗にできる。
【図面の簡単な説明】
【００２４】
【図１】本考案の構成を示すレースハンカチの図
【図２】レースハンカチ土台の図
【図３】同レースハンカチ中生地裁断刺繍線の図
【図４】同中生地裁断部の図
【図５】同中生地刺繍及びレース土台の図
【図６】同刺繍・レース部分完成図
【符号の説明】
【００２５】  １    水溶性不織布
２    中生地
２ａ  中生地（裁断後）
３    中生地裁断刺繍線
４    中生地不要部分
５    刺繍
６    レース土台
７    レース本体
【図１】
0003142353.tif 000003
【図２】
0003142353.tif 000004
【図３】
0003142353.tif 000005
【図４】
0003142353.tif 000006
【図５】
0003142353.tif 000007
【図６】
0003142353.tif 000008
(57)【要約】      （修正有）【課題】原動機の暖機運転時間を短縮できる装置を提供する。【解決手段】原動機の冷却水路内にヒーター１０を設け、冷却水温度を「始動前」に２０〜３０度に上げておいて暖機運転時間の短縮、燃料の削減、Ｃｏ２の削減を図る冷却水路内に設置した１００ｖヒーターに原動機始動前「２時間」にセットしたタイマーにより通電し冷却水温を温度センサーで２０〜３０度に保ち原動機始動後１〜２分で運転可能状態にもっていく。【選択図】図４
0003142351.tif 000002
【実用新案登録請求の範囲】
【請求項１】
１００ｖヒーターにより原動機の冷却水温をあらかじめ上げておき、暖気運転時間を短縮することを目的とした装置。
【考案の詳細な説明】
【技術分野】
【０００１】本考案は、原動機の冷却水温を始動前にあらかじめ上げておく、原動機の冷却水に関するもの。
【背景技術】
【０００２】従来、原動機は冷却水温が低いときは始動してしばらく冷却水温を上げるべく暖機運転をしなければいけなかった。
【考案が解決しようとする課題】
【０００３】原動機の冷却水温を運転可能状態まで上げようとすれば、１０〜２０分間暖気運転を行わなければならない。
【課題を解決するための手段】
【０００４】原動機内の冷却水路内にヒーターを設置し冷却水の温度を上げ、スクリュウで循環させて冷却水を平均的に温め、冷却水温を２０〜３０度に上げる。
【考案の効果】
【０００５】この装置を使えば、あらかじめ水温は上がっているので潤滑オイルが行き渡る１〜２分の短い暖機運転で済み、燃料削減、Ｃｏ２の削減に貢献する。
【考案を実施するための最良の形態】
【０００６】冷却水路内に設置した１００ｖヒーターに原動機始動前「２時間」にセットしたタイマーにより通電し冷却水温を温度センサーで２０〜３０度に保ち原動機始動後１〜２分で運転可能状態にもっていく。
【図面の簡単な説明】
【０００７】
【図１】  サーモスタットとスペーサーの関係を横から見た図
【図２】  スペーサーを上から見た図
【図３】  ヒーター本体の詳細図
【図４】  ヒーターの設置場所と水路図
【図５】  配線図
【符号の説明】
【０００８】  １        サーモスタットカバー
２        サーモスタット
３        スペーサー
４        バイパスポート
５        カプラー（配線接続部）
６        サーミスタ（温度検知部）
７        モーター（冷却水循環用）
８        スクリュウ（冷却水循環用）
９        ニクロム線（冷却水加温用――パイプ内埋め込み式）
１０        ヒーター本体
１１        ドレンボルト（冷却水排出用ボルト）
１２        エンジン（原動機）
【図１】
0003142351.tif 000003
【図２】
0003142351.tif 000004
【図３】
0003142351.tif 000005
【図４】
0003142351.tif 000006
【図５】
0003142351.tif 000007
(57)【要約】      （修正有）【課題】竹筒に小さな専用穴を作り、酒などを専用ノズルで挿入し竹串で密閉。これによって、竹の内部からアルコールが漏れることはなく劣化を阻止できるとともに概観上も竹を削ったようには見えないので美しい若竹の筒の外観を維持しながら竹による酒の自然熟成を内部で行うことができる竹筒を提供する。【解決手段】切り取ったばかりの若竹の竹筒の一節（自然に密封されている部分）に直径２ｍｍ程度の穴を明け、ここから専用のノズルで焼酎を入れ、同じ直径程度の竹串で穴を塞ぎ表面部分を切断して密閉することを考案した。ポンプに付けられた金属性専用ノズルを装着し、竹筒の内部に焼酎を挿入できるようにした。【選択図】図２
0003142302.tif 000002
【実用新案登録請求の範囲】
【請求項１】
切り取ったばかりの若竹の竹筒の一節（自然に密封されている部分）に直径２ｍｍ程度の穴（Ａ）を明け、ここからポンプに付けられたホースの先に直径２ｍｍ、長さ１０ｃｍの金属性専専用のノズルで焼酎を入れ、同じ直径程度の竹串で穴を塞ぎ表面部分を切断して密閉する。これにより竹の内部からアルコールが漏れることはなく劣化を阻止できるとともに概観上も竹を削ったようには見えないので美しい若竹の筒の外観を維持し、２〜４週間程度保管すると熟成されて、酒のうまみが出る。
【請求項２】
ポンプに付けられたホースの先に直径２ｍｍ、長さ１０ｃｍの金属性専用ノズル（Ｂ）を装着し、竹筒の内部に焼酎を挿入できるようにした、焼酎を入れたポンプの注入部に装着するための装置。
【考案の詳細な説明】
【技術分野】
【０００１】  本考案は、焼酎を熟成させる竹筒による熟成具についての、焼酎の挿入部分に関するもの。
【背景技術】
【０００２】  竹筒に焼酎を挿入して２〜４週間程度保管すると熟成されて、酒のうまみが出る。
【考案の開示】
【０００３】  しかし、そのためには竹の一部に焼酎を注ぐために、通常少なくとも直径２〜３ｃｍ以上程度の穴を開けなければならず、アルコール分が蒸発したり、酸化を招きやすいなど問題点が多い。
【課題を解決するための手段】
【０００４】  そこで切り取ったばかりの若竹の竹筒の一節（自然に密封されている部分）に直径２ｍｍ程度の穴を明け、ここから専用のノズルで焼酎を入れ、同じ直径程度の竹串で穴を塞ぎ表面部分を切断して密閉することを考案した。
【０００５】  専用ノズルは、焼酎を入れたポンプの注入部に装着するために使用。ポンプに付けられたホースの先に直径２ｍｍ、長さ１０ｃｍの金属性専用ノズルを装着し、竹筒の内部に焼酎を挿入できるように考案した。
【考案の効果】
【０００６】  これによって、竹の内部からアルコールが漏れることはなく劣化を阻止できるとともに概観上も竹を削ったようには見えないので美しい若竹の筒の外観を維持することができる。
【考案を実施するための最良の状態】
【０００７】  本考案に係る竹筒は、図のように短冊型に切断された竹を使用し、そのまま酒の保管容器に使用できるようにしている。その上部脇の部分に穴を開け、焼酎を挿入する。挿入後、穴は塞がれ、約２週間程度熟成後、頭部の部分を穴を開け使用する。竹の切断面が図のように斜めに切断されていることにより、注ぎいれの際にも不便をきたさないようにされている。
【図面の簡単な説明】
【０００８】
【図１】専用ノズル投入用の穴を空けた竹筒の斜視図である。
【図２】専用ノズル投入用の穴を空けた竹筒の断面図である。
【図３】専用ノズルの斜視図である。
【図４】専用ノズルの側面図である。
【符号の説明】
Ａ  竹筒に設ける穴
Ｂ  固定体
【図１】
0003142302.tif 000003
【図２】
0003142302.tif 000004
【図３】
0003142302.tif 000005
【図４】
0003142302.tif 000006
【手続補正書】
【提出日】平成20年3月5日(2008.3.5)
【手続補正１】
【補正対象書類名】実用新案登録請求の範囲
【補正対象項目名】請求項１
【補正方法】変更
【補正の内容】
【請求項１】
切り取ったばかりの１つ以上の武節を備えた若竹の竹筒の一節（自然に密封されている部分）に直径２ｍｍ程度の穴（Ａ）を明け、ここからポンプに付けられた金属性専専用のノズルで武節内部に焼酎を注入し、同じ直径程度の竹串で穴を塞ぎ表面部分を切断して密閉し、内部において焼酎を熟成させる竹製酒容器。
(57)【要約】      （修正有）【課題】汚物が便器内の洗浄水に落ちる際、洗浄水が跳ね返り、お尻を汚すことの少ない洋式水洗トイレを提供する。【解決手段】クレーム欄および図面に示した構成部品の、リモコン・スイッチ１、センサー２、タイマー３、エア・ポンプ４、コントロール・バルブ６の作動により、エア・ポンプ４から送られる空気が、洗剤タンク７からの洗剤と共に、便器内の洗浄水１０の水面に泡９を発生させる。この泡９が洗浄水１０の水面に密集して、汚物が落ちる際、洗浄水１０がお尻に跳ね返るのを防ぐ。更に、男子の小用時も、洗浄水１０の飛び跳ねを防ぐ。【選択図】図１
0003142308.tif 000002
【実用新案登録請求の範囲】
【請求項１】
リモコン・スイッチ、センサー、タイマー、エア・ポンプ、コントロール・バルブ、の作動において、便器内の洗浄水の水面に洗剤の泡を発生させる事を特徴とする装置。
【考案の詳細な説明】
【技術分野】
【０００１】本考案は、一般家庭の便器の技術に関するものである。
【背景技術】
【０００２】現在、本考案に関する技術はなく、全く新しい発想である。
【考案の開示】
【考案が解決しようとする課題】
【０００３】（イ）汚物が便器内の洗浄水に落ちる際、洗浄水が跳ね返り、お尻を汚す。
（ロ）男子の小用時も、洗浄水が飛び跳ねる。
（ハ）“トイレは汚いもの”のイメージがある。
【課題を解決するための手段】
【０００４】  上記の課題を解決する事を目的に、
（イ）クレーム欄および図面に示した構成部品の、リモコン・スイッチ（１）、センサー（２）、タイマー（３）、エア・ポンプ（４）、コントロール・バルブ（６）の作動により、エア・ポンプ（４）から送られる空気が、洗剤タンク（７）からの洗剤と共に、便器内の洗浄水（１０）の水面に泡（９）を発生させる。
（ロ）この泡（９）が洗浄水（１０）の水面に密集して、汚物が落ちる際、洗浄水（１０）がお尻に跳ね返るのを防ぐ。
（ハ）更に、男子の小用時も、洗浄水（１０）の飛び跳ねを防ぐ。
（ニ）洗剤は、色と香りを持っており、泡（９）はキラキラと綺麗な花びらの様に光ながら良い香りを漂わせ、“トイレは汚い”のイメージを払拭する。
【考案の効果】
【０００５】（イ）泡（９）の効果。
＊  汚物が洗浄水（１０）の中に落ちる際、洗浄水（１０）がお尻に跳ね返るのを防ぐ。
＊  男子の小用時も、洗浄水（１０）の飛び跳ねを防ぐ。
（ロ）癒し、リラックスの効果
＊  トイレは通常、“汚い所”のイメージがある。しかし、便器の中で、泡（９）が綺麗な花びらの様にキラキラ光り、更に、良い香りを漂わせ、“トイレは汚い”のイメージを払拭する。
（ハ）洗浄効果
＊  洗浄水（１０）を流す際は、常に洗剤が入っているので洗浄効果も大きい。
【考案を実施するための最良の形態】
【０００６】本考案の構成部品の配置（図１参照）
本考案を構成しているセンサー（２）、タイマー（３）、エア・ポンプ（４）、エア・パイプ（５）、コントロール・バルブ（６）、洗剤タンク（７）、の部品類は、部品ケース（１１）内に格納され、既存の便器に取り付ける。
但し、リモコン・スイッチ（１）は任意の場所に置ける。混合パイプ（８）は、コントロール・バルブ（６）から、洗浄水（１０）の中まで伸びている。
この部品の配置は、上記の方法と、メーカーで便器の製造段階で便器内に組み込む方法もある。【０００７】本考案の作動（図１参照）
（イ）リモコン・スイッチを（１）を押すと、タイマー（３）を経由し、エア・ポンプ（４）が作動し空気を送る。
（ロ）この空気はエア・パイプ（５）を通りコントロール・バルブ（６）を押し開き、洗剤タンク（７）から洗剤を引き出す。
（ハ）空気と洗剤が混じり合い、混合パイプ（８）を通り、便器内の洗浄水（１０）の水面に泡（９）となって広がる。
（ニ）タイマー（３）は、エア・ポンプ（４）への通電時間をコントロールする。
即ち、泡（９）を、ユーザーの希望する量に、ユーザー自身が簡単に調節できる様に、ダイヤル式にしている。
（ホ）センサー（２）は、リモコン・スイッチ（１）を押さなかった場合、人をキャッチし、リモコン・スイッチと同じ様に、本考案の装置を作動させる。
（ヘ）用の終了後は、既存のままの操作により洗浄水（１０）が入れ替わる。
即ち、本考案の装置を取り付けても、トイレの使用方法は変わらない様に考慮している。
【図面の簡単な説明】
【０００８】
【図１】本考案の構成部品の配置図
【符号の説明】
【０００９】１      リモコン・スイッチ
２      センサー
３      タイマー
４      エア・ポンプ
５      エア・パイプ
６      コントロール・バルブ
７      洗剤タンク
８      混合パイプ
９      泡
１０    洗浄水
１１    部品ケース
【図１】
0003142308.tif 000003
【手続補正書】
【提出日】平成20年2月28日(2008.2.28)
【手続補正１】
【補正対象書類名】実用新案登録請求の範囲
【補正対象項目名】全文
【補正方法】変更
【補正の内容】
【実用新案登録請求の範囲】
【請求項１】
便器内の洗浄水の水面に洗剤の泡を発生させる装置であって、
（イ）電源供給部より電源を受け、便器内の洗浄水の水面に洗剤の泡を発生させるための空気を供給する部と、
（ロ）その空気の通路部と、
（ハ）洗剤の泡を発生させるための洗剤を格納する部と、その洗剤と空気を混ぜ合わせる部と、
（ニ）混ぜ合わされた空気と洗剤とを便器の洗浄水内に導く通路部と、
（ホ）便器内の洗浄水の水面に洗剤の泡を発生させる稼働時間を調節する部と、
を備える装置。
(57)【要約】      （修正有）【課題】削った鉛筆と補助軸を合わせて利用して筆圧を高めて連続して文字を書くようにする鉛筆補助軸調節具を提供する。【解決手段】両端が互いに嵌合しえる複数の筒１，２を組み合わせる事で鉛筆が補助軸５の中に入り込まないようにし、１本の糸３によって両端が互いに嵌合しえる複数の筒の向きを調整し、削った鉛筆４を補助軸５に固定する。【選択図】図３
0003142346.tif 000002
【実用新案登録請求の範囲】
【請求項１】
鉛筆補助軸内に挿入される調節具であって、調節具は両端が互いに嵌合しえる複数の棒からなることを特徴とする調節具。
【請求項２】
前記の複数の棒は筒状であり、筒の内径が異なり挿入することを特徴とする請求項１記載の調節具。
【請求項３】
前記の複数の棒が互いに１本の糸で結ばれていることを特徴とする請求項１記載の調節具。
【考案の詳細な説明】
【技術分野】
【０００１】    本発明は、両端が互いに嵌合しえる複数の筒と１本の糸によって短くなった鉛筆を補助軸に固定する鉛筆補助軸調節具である。
【背景技術】
【０００２】    従来の補助軸を利用した鉛筆は、筆圧を高めるために強い力で補助軸を押さえつけると中の鉛筆が補助軸の中に入り込み筆圧を高めた状態で連続して文字を書き続けることが困難であった。
【考案の開示】
【考案が解決しようとする課題】
【０００３】  これは、次のような問題点があった。
従来の補助軸は、補助する鉛筆の長さに柔軟に対応するために補助軸の中が空洞であり、鉛筆を固定する部分も鉛筆を傷つけないように爪等は設置されていないために鉛筆が補助軸内に入り込んだ。
【課題を解決するための手段】
【０００４】  従来の補助軸の特性を生かしたまま、鉛筆を補助軸に固定するには、補助軸の金具を強く固定する必要があった。両端が互いに嵌合しえる複数の筒と１本の糸を用いることで、鉛筆の長さが変化しても鉛筆を補助軸に固定でき、連続して高い筆圧で文字を書くことができる。
【考案の効果】
【０００５】  従来の補助軸は、鉛筆の長さにより筆圧を高めると補助軸の中に鉛筆が入り込み文字を連続して書き続けることが困難であったが、鉛筆補助調節具を使うことで、変化する鉛筆の長さに対応して鉛筆を補助軸に固定でき、筆圧を高めて速やかに連続して文字を書き続けることができる。
【考案を実施するための最良の形態】
【０００６】  削った鉛筆と補助軸と両端が嵌合しえる複数の筒と１本の糸である。
【図面の簡単な説明】
【０００７】
【図１】本発明に係る鉛筆補助軸調節具の概略斜視図である。
【図２】本発明に係る鉛筆補助軸調節具の片方の筒をもう一方の筒に収納した斜視図である。
【図３】本発明に係る鉛筆補助軸調節具の操作を説明する要部を破断した側面図である。
【符合の説明】
【０００８】        １  両端が嵌合しえる筒Ａ
２  両端が嵌合しえる筒Ｂ
３  ＡとＢをつなげる１本の糸
４  鉛筆
５  補助軸
【図１】
0003142346.tif 000003
【図２】
0003142346.tif 000004
【図３】
0003142346.tif 000005
(57)【要約】      （修正有）【課題】安価な畳表折曲げ加工機を提供する。【解決手段】板金作業で使われているハゼ折加工機１に、ハンドルレバー２、蝶番３、締め付け金具４、を設けることにより、容易に畳表の折曲げ加工を行うことが出来る。【選択図】図１
0003142344.tif 000002
【実用新案登録請求の範囲】
【請求項１】
板金工具として使用するハゼ折加工機に、ハンドルレバー、蝶番、締め付け金具を設け、縁無畳を作成する際の畳表の折曲げ加工を容易にする為の畳表折曲げ加工機。
【考案の詳細な説明】
【技術分野】
【０００１】  本考案は、縁無畳作成時、畳表の折曲げ加工に使用する畳表折曲げ加工機に関する。
【背景技術】
【０００２】  従来の縁無畳の畳表の折曲げ加工は、包丁や、針などを使って、畳表に窪みをつける、などの加工を施してから手作業により施工するか、高価な専用機を使用して折曲げ加工を行っていた。
【考案の開示】
【考案が解決しようとする課題】
【０００３】  しかし、従来の方法では手作業の為、時間と労力を必要とした。又、専用機は高価で、電源や空圧を使用する為、場所や、使用できる人は限られている。
【課題を解決するための手段】
【０００４】  そこで、板金作業で使用するハゼ折加工機に、ハンドルレバー、蝶番、締め付け金具を設け、縁無畳の畳表の折曲げ加工を容易に、そして安価で提供することが出来る畳表の折曲げ加工機を考案した。
（図１）
【考案の効果】
【０００５】  よって、本考案の畳表の折曲げ加工機により、縁無畳の畳表の折曲げ加工を行うとき、手作業で時間をかけて加工する必要がなくなり、又本考案は、電源、空圧を使用しない為、どこでも、誰にでも使用する事が出来る。
【考案を実施するための最良の形態】
【０００６】  本考案に係る畳表の折曲げ加工機は、図１に示すように、ハゼ折加工機１に、ハンドルレバー２、蝶番３、締め付け金具４を備えている。【０００７】  ハゼ折加工機１に、蝶番３で固定された刀刃５をハンドルレバー２を下げることにより、図２のようにハゼ折加工機１と刀刃５の間に隙間ができ、畳表６を折曲げたい位置に仮固定する。【０００８】  締め付け金具４により、図３のように、ハゼ折加工機１と、刀刃５と畳表６の隙間をなくし、畳表６を固定する。【０００９】  ハンドルレバー２を図４のように持ち上げることにより、回転軸７を中心にハゼ折加工機１、刀刃５、畳表６を回転させ、まっすぐに、そして容易に畳表の折曲げ作業を完了することが出来る。
【図面の簡単な説明】
【００１０】
【図１】  本考案の斜視説明図である。
【図２】  本考案の作動説明図である。
【図３】  本考案の作動説明図である。
【図４】  本考案の作動説明図である。
【符号の説明】
【００１１】  １    ハゼ折加工機
２    ハンドルレバー
３    蝶番
４    締め付け金具
５    刀刃
６    畳表
７    回転軸
【図１】
0003142344.tif 000003
【図２】
0003142344.tif 000004
【図３】
0003142344.tif 000005
【図４】
0003142344.tif 000006
(57)【要約】      （修正有）【課題】筆記用具を使用するときに、すぐに使うことができるペン指し付きクリップとクリップ装着筆記用具を提供する。【解決手段】筆記用具に直接クリップを付けている。このようにすることにより、記入する付近にクリップではさむことができるので、すぐに筆記用具を使うことができる。【選択図】図１
0003142350.tif 000002
【実用新案登録請求の範囲】
【請求項１】
クリップを筆記用具の持つところに、直接つけた筆記用具
【請求項２】
クリップのはさむ部分に、両面テープを付け筆記用具を取り付けるようにした筆記用具クリップ
【請求項３】
クリップに、ペン指しをつけた筆記用具クリップ
【考案の詳細な説明】
【技術分野】
【０００１】  本考案は、筆記用具を使用するときに、すぐに使えるようにする事に関する。
【背景技術】
【０００２】  従来の筆記用具は、クリップが付いていなかった。
【考案の開示】
【考案が解決しようとする課題】
【０００３】  しかし、これでは、記入する時すぐに使えず不便である。
【課題を解決するための手段】
【０００４】  そこで、クリップ付筆記用具（図１）ペン指し付きクリップ（図２）（図３）（図４）両面テープ付きクリップ（図５）を考案した。
このクリップ付筆記用具により、記入する付近にクリップで、はさめるのですぐに、筆記用具を使えるのである。
【考案の効果】
【０００５】  よって、本考案のペン指し付きクリップとクリップ装着筆記用具により、すぐに記入する事が出来る。
【考案を実施するための最良の形態】
【０００６】  本考案に係わるペン指し付きクリップとクリップ装着筆記用具は、図１に示すように筆記用具に直接クリップを付けている。または（図３）（図４）（図５）に示すように筆記用具を簡単に装着できるようにしている。
【図面の簡単な説明】
【０００７】
【図１】  本考案に係るペン指し付きクリップとクリップ装着筆記用具の、クリップ装着筆記用具の直接クリップを付けた図である。
【図２】  本考案に係わるペン指し付きクリップとクリップ装着筆記用具のペン指し付きクリップである。
【図３】  本考案に係わるペン指し付きクリップとクリップ装着筆記用具のペン指し付きクリップに筆記用具をさした図である。
【図４】  本考案に係わるペン指し付きクリップとクリップ装着筆記用具の、クリップの外側にペン指しを付け筆記用具をさしたペン指しクリップの図である。
【図５】  本考案に係わるペン指し付きクリップとクリップ装着筆記用具の、クリップの筆記用具をはさむ部分に両面テープを貼った図である。
【符号の説明】
【０００８】  １      筆記用具
２      クリップ
３      ペン指し
４      ペン指し
５      両面テープ
【図１】
0003142350.tif 000003
【図２】
0003142350.tif 000004
【図３】
0003142350.tif 000005
【図４】
0003142350.tif 000006
【図５】
0003142350.tif 000007
(57)【要約】      （修正有）【課題】靴下を紙製の使い捨てにし、夏場病院などにおいて素足で直接スリッパを履く不快感を軽減させる使い捨て靴下を提供する。【解決手段】紙製の使い捨て靴下１とゴム２から成り、使い捨てマスクのように１箱あたり１００枚５０足程度の使い捨て靴下を収め、１枚ずつ取り出せるようにする。【選択図】図１
0003142335.tif 000002
【実用新案登録請求の範囲】
【請求項１】
靴下を紙製の使い捨てとし、病院などに行ったとき素足でスリッパを履く不快感を無くすための靴下。
【考案の詳細な説明】
【技術分野】
【０００１】  本考案は、靴下を紙製の使い捨てにしたものである。
【背景技術】
【０００２】  夏場サンダル履きなどになり、素足が増えるなか、病院などで素足で直接スリッパを履いていた。
【考案の開示】
【考案が解決しようとする課題】
【０００３】  夏場の素足の季節、素足で直接スリッパを履くことはとても不快なものであり、また後に使用する人の為にも、この使い捨て靴下を履くことで不快感を解決しようとするものである。
【課題を解決するための手段】
【０００４】  本考案は医療機関等の入り口や下駄箱の付近に置き、素足になってしまう人が、使い捨て靴下を自由に使用できるようにすることで、スリッパを快適に履くことができる。
【考案の効果】
【０００５】  上述のように使い捨て靴下を使用することにより、素足でスリッパを履いたときのベタつきヌルつきを軽減し自身はもちろん後に使う人も清潔に使え、エチケットにもなる。
【考案の実施するための最良の形態】
【０００６】  使い捨てマスクのように、１箱あたり１００枚５０足程度の使い捨て靴下を収め１枚ずつ取り出せるようにする。
【実施例】
【０００７】  素足でサンダルなどを履く初夏、５月頃から９月頃くらいまで、病院などの施設に設置し自由に使用できるようにする。
【図面の簡単な説明】
【０００８】
【図１】本考案の形態を示す上方からみた図である。
【図２】使い捨て靴下の収納してある箱の図である。
【符号の説明】
【０００９】１  紙製の使い捨て靴下本体
２  ゴム
３  厚紙の箱
４  取り出し口
【図１】
0003142335.tif 000003
【図２】
0003142335.tif 000004
(57)【要約】      （修正有）【課題】取付プレートとシェードカバーを分離し、手の力でシェードカバーを容易に脱着することのできる照明器具を取り付けた仏壇を提供する。【解決の手段】仏壇の側板内面に固着する取付プレート２において、該取付プレート水平片基部の両端に凹部３を設け、該取付プレート水平片の幅より小さい幅に設定した凹部５を持つ合成樹脂でできたシェードカバー４を、前記取付プレートの水平片に差込むことにより、当該シェードカバーの弾性力で軽噛合いさせることで、脱着や噛合い凹部を支点にして回転させることを自在にしたことを特徴とした照明器具を取付けた仏壇。【選択図】図２
0003142340.tif 000002
【実用新案登録請求の範囲】
【請求項１】
仏壇の側板内面に固着する照明器具の取付プレートにおいて、該取付プレート水平片基部の両端に凹部を設け、該取付プレート水平片の幅より小さい幅に設定した凹部を持つ合成樹脂でできたシェードカバーを前記取付プレートの水平片に差込むことにより、当該シェードカバーの弾性力で軽噛合いさせることで、脱着や噛合っている両凹部を支点にして回転させることを自在にしたことを特徴とした照明器具を取付けた仏壇。
【考案の詳細な説明】
【技術分野】
【０００１】  本考案は、照明器具を取付けた仏壇に関するものである。
【背景技術】
【０００２】  従来、仏壇内部に取付けられる照明器具のシェードカバーは、ネジ止めや、更に磁石を介して取付けられているものであった。
【考案の開示】
【考案が解決しようする課題】
【０００３】  従来の照明器具を仏壇両側板内部に取り付ける際は、取付プレートをネジ止めし、更に磁石で器具を吸着させていたが、その重さで輸送中に脱落したり、シェードカバーを外そうとすると、器具全体が脱落するという面倒さがあった。
【課題を解決するための手段】
【０００４】  本考案は、取付プレートとシェードカバーを分離し、当該取付プレートを単体で取付け後、手の力でシェードカバーを容易に脱着、及び回転できるようにすること。
【考案の効果】
【０００５】  シェードカバーを取付プレートに軽噛合いさせてあるので、脱着や、噛合い部分を支点にして当該シェードカバーを回転させられることで、当該シェードカバーを外すことなく容易に電球を交換できる。
【考案を実施するための最良の形態】
【０００６】  本考案に係る仏壇用照明器具の取付装置は、仏壇の側板内面に固着する取付プレートにおいて、当該取付プレート水平片基部の両端に凹部を設け、合成樹脂でできたシェードカバーの取付け面に、当該取付プレート水平片の幅より小さい幅に設定した凹部を設け、当該凹部を前記取付プレートの水平片に差込むことにより、当該シェードカバーの弾性力により両凹部が押し付けられ軽く噛合わせられる。これにより脱着や噛合い凹部を支点にして回転させることができる。また、シェードカバーの直立性は、当該シェードカバーの自重によりオーバーハングが生じ、当該シェードカバーの垂直背面が取付プレートの垂直辺に当たることで保たれるようにする。
【実施例】
【０００７】  以下、本考案の実施例を、図１から図２を参照して説明する。図１は照明器具本体１が仏壇側板内面６に取付けられた状態を示している。図２は、当該照明器具の分解斜視図である。取付プレート２に電球ソケット８を介して、電球７が取付けられている。
【図面の簡単な説明】
【０００８】
【図１】照明器具が取り付いた本考案の仏壇斜視図である。
【図２】照明器具部分の分解斜視図である。
【図３】シェードカバーが回転した状態を示した側面図。
【符号の説明】
【０００９】１  照明器具本体
２  取付プレート
３  取付プレート凹部
４  シェードカバー
５  シェードカバー凹部
６  仏壇側板内面
７  電球
【図１】
0003142340.tif 000003
【図２】
0003142340.tif 000004
【図３】
0003142340.tif 000005
(57)【要約】      （修正有）【課題】鉄芯の針金で作られ、屋内での使用に制限されてきたモールを、屋外で特に、水気のある場所の使用、さらに、臭いを発生させるバクテリアや細菌の増殖を防止することのできるモールを提供する。【解決手段】鉄からステンレス針金に替えることにより、水気のある場所で容易に使用でき、銀メッキ繊維糸を入れることで天然の抗菌剤である銀の作用により、臭いを発生させるバクテリアや細菌の増殖を抑える効果がある。【選択図】図１
0003142337.tif 000002
【実用新案登録請求の範囲】
【請求項１】
２本のステンレス針金芯２，２の間にポリエステル糸３と銀メッキ繊維糸４とを合糸した合糸糸５を挟み込み、撚りをかけて形成し一体化してなることを特徴とする耐食性抗菌モール１。
【考案の詳細な説明】
【技術分野】
【０００１】本考案は、耐食性抗菌などを有するモールに関するものである。
【背景技術】
【０００２】  ２本の針金芯間にポリエステル糸を挟み込み、撚りをかけて形成してなる鉄芯モールは工作や装飾など屋内で広く用いられている。
【考案の開示】
【考案が解決しようとする課題】
【０００３】  鉄芯モールは通常、上述の如く２本の針金芯間にポリエステル糸を挟み込み、撚りをかけることによって作成されている。しかし、上記のモールは、外部で使用すると鉄芯が酸化し錆びることによって、屋内での使用に制限され、屋外の特に、水気のある場所では殆ど用いられていない。
【課題を解決するための手段】
【０００４】  本考案の耐食性抗菌モールは、２本のステンレス針金芯２，２の間にポリエステル糸３と銀メッキ繊維糸４とを合糸した合糸糸５を挟み込み、撚りをかけて形成し、一体化してなることを特徴とする。
【考案の効果】
【０００５】  本考案の耐食性抗菌モールは、ガーデニング等の屋外の使用ができる。ガーデニングで花の茎の固定をする際に、風雨で錆びにくい。また、天然の抗菌剤である銀の作用により、臭いを発生させるバクテリアや細菌の増殖を抑える効果があり、切花をモールで束ねて、水につけ使用することにより、バクテリアの増殖による水の汚れが軽減できる。ステンレス、ポリエステル、銀メッキ繊維糸を使うことにより錆びるという問題点を解決している耐食性抗菌モールである。銀素材が繊維素材の一部として形成されているので、時間の経過によって銀が消失することはない耐食性抗菌モールである。
【考案を実施するための最良の形態】
【実施例】以下、本考案の実施例を図にて説明する。【０００６】  図２は、本考案の耐食性抗菌モールを作成するときの状況を表す図である。２，２は、直径０．２５ｍｍのＳＵＳ針金であり、これを２本揃え、この２本の間に、１５０デニール１２本の着色したポリエステル糸３と１００デニール１本のポリエステル糸に銀メッキ施工した銀糸４とを撚り合わせ、合糸した合糸糸５を挟み、これを撚糸機にかけ外周を切断してモールができあがる。できあがったモール１を図１に示す。外周を切断する時の条件により、長手方向に凹凸がほどこされ、美的になっている。そして、よく見ると銀糸４が縞模様となって見えている。こうして作られたモール１は、しなやかで、屈曲性があり、ガーデニングでの植物の茎を縛ったりするのに良いものであった。ガーデニング等屋外使用で、耐食性に優れ錆びが生じなく、抗菌作用により臭いが生じたり、カビが生じたりしなかった。
【産業上の利用可能性】
【０００７】  上述したように、今まで用いなかった屋外での使用が可能となり、ガーデニング等に広く用いることができる。
【図面の簡単な説明】
【０００８】
【図１】本考案のモールを示す構造図。
【図２】本考案のモールを作成するときの状況を示す説明図。
【符号の説明】
【０００９】  １．モール
２．ステンレス針金
３．ポリエステル糸
４．銀メッキ繊維糸
５．ポリエステル糸、銀メッキ繊維糸の合糸糸
【図１】
0003142337.tif 000003
【図２】
0003142337.tif 000004